(57)【要約】【課題】径の異なるキャップにも適用でき、力を加えやすく、かつねじれ難く、操作性のよいキャップオープナーを提供する。【解決手段】キャップオープナー１は、左右一対のハンドル先端の絞り込み部１０の内縁にてネジ蓋の外周を包み込んで両ハンドル２，３を絞り込むことにより、ネジ蓋の外周をしっかりと掴み、各ハンドルを回動することにより、ネジ蓋開放を行うようにしたものであって、絞り込み部頂点にＵ字状に窪んだ凹所１１を備え、凹所１１のハンドル側に庇部２０を備え、左ハンドル２から伸びる円弧状プレート３１を受け入れ得る円弧状のガイド溝３２を右ハンドル３が備え、ピン３３と円弧状の長孔３４でハンドル同士を連結した状態とすることができ、肉厚がほぼ同一の側壁部と天井部とから全体として下方開口の断面コ字形の箱枠状構造体とされている。【選択図】  図１
0003172732.tif 000002
【実用新案登録請求の範囲】
【請求項１】
左右一対のハンドルの先端を弧状の絞り込み部により連結し、前記絞り込み部の内縁にてネジ蓋の外周を包み込んで前記両ハンドルを絞り込むことにより、前記ネジ蓋の外周をしっかりと掴み、前記各ハンドルを前記ネジ蓋が取付けられている容器に対して回動することにより、前記ネジ蓋の開放を行うようにしたものであって、さらに、以下の構成を備えていることを特徴とするキャップオープナー。
（１）前記絞り込み部は、頂点部に外に向かってＵ字状に窪んだ凹所を備え、該凹所の左右の前記ハンドル側に位置する部分の上面に、内に向かって張り出す庇部を備えていること。
（２）前記左右のハンドルの一方から他方に向かって伸びる円弧状プレートが備えられると共に、該円弧状プレートを備えていない方のハンドルには前記円弧状プレートを受け入れ得る円弧状のガイド溝が形成されていること。
（３）前記ガイド溝にピンが凸設されると共に、前記円弧状プレートには、当該プレートの円弧に沿って伸び、前記ピンを挿入可能な円弧状の長孔が形成されていること。
【請求項２】
さらに、以下の構成をも備えていることを特徴とする請求項１記載のキャップオープナー。
（４）前記絞り込み部及びハンドルは、肉厚がほぼ同一の側壁部と天井部とからなり、全体として下方開口の断面コ字形の箱枠状構造体とされていること。
（５）前記円弧状プレートは、一方のハンドルの天井部と連続する板状体にて形成され、前記ガイド溝は、他方のハンドルの天井部上面を前記円弧状プレートの板厚に対応させて窪ませた段付き形状とすることによって形成されていること。
【請求項３】
さらに、以下の構成をも備えていることを特徴とする請求項２記載のキャップオープナー。
（６）前記凹所は、前記絞り込み部を構成する外側の側壁部と内側の側壁部とが接する深さまで窪まされていること。
【請求項４】
さらに、以下の構成をも備えていることを特徴とする請求項１〜３のいずれか記載のキャップオープナー。
（７）前記ピンは、先端に張り出し部を備え、前記長孔は、全体が前記張り出し部よりも狭い幅とされ、一部に前記張り出し部を挿通可能な拡大部を備えていること。
【請求項５】
さらに、以下の構成をも備えていることを特徴とする請求項１〜４のいずれか記載のキャップオープナー。
（８）前記長孔の前記拡大部側の末端縁が前記ピンに当接する前にピン側のハンドルの内側側壁に当接するストッパ部材が前記円弧状プレートの下側に突接されていること。
【請求項６】
さらに、以下の構成をも備えていることを特徴とする請求項１〜５のいずれか記載のキャップオープナー。
（９）前記庇部は、外形を形成する枠部と、該枠部の内側を埋めるメッシュ構造部とを備えていること。
【請求項７】
さらに、以下の構成をも備えていることを特徴とする請求項６記載のキャップオープナー。
（１０）前記メッシュ構造部は、前記枠部の内側を埋める様に、断面蒲鉾形の縦線部と横線部とを蒲鉾断面の底面同士を交差接合させて形成した多数の微小角孔で構成されていること。
【考案の詳細な説明】
【技術分野】
【０００１】
本考案は、ペットボトル、ドリンク剤、瓶詰め等のキャップを僅かな力で開けるためのキャップオープナーに関する。
【背景技術】
【０００２】
従来、ペットボトルなどの小径キャップを簡単に開けるための道具として、キャップ巻締め部と指掛け部および握り柄部をゴム素材で一体成形した小径キャップ用オープナー（特許文献１。図９（Ａ）参照。）や、魚の形状やペンギンの形状にした開詮補助装置（特許文献２。図９（Ｂ）参照。）といった提案がある。
【０００３】
また、両端部に異径のキャップ挟み部を設け、把持部を握り込む様にしたもの（特許文献３。図９（Ｃ）参照。）や、Ｃ字形弾性リング状部に大内径・小内径のねじ蓋挟持面を形成し、さらにレバー前部に半筒状部を形成したもの（特許文献４。図９（Ｄ）参照）も提案されている。
【０００４】
さらに、ハンドルの先端を連結する絞り込み部に凹所を形成して可撓性を高めたものが提案されている（特許文献５。図９（Ｅ）参照。）。
【先行技術文献】
【特許文献】
【０００５】
【特許文献１】特開平８−２０７９９４（図１，図３）
【特許文献２】特開２００２−６８３７４（図１，図３）
【特許文献３】特開２００６−４４６７７（図１）
【特許文献４】特開２００７−３０９７１（図１，図３〜図５）
【特許文献５】特開平９−１８３４９０（図１）
【考案の概要】
【考案が解決しようとする課題】
【０００６】
特許文献１，２の器具は、径の異なるキャップに適用し難く、力を加え難いという問題がある。
【０００７】
特許文献３，４の器具は、レバーが長く力を加えやすいが、異なる径のキャップにも適用できるが、キャップの径に対する汎用性は段階的なものに過ぎない。
【０００８】
特許文献５の器具は、キャップの径に対する汎用性が高く、力も加えやすいが、蓋を開けるときにねじれ易いという問題がある。
【０００９】
そこで、本考案は、径の異なるキャップにも適用でき、力を加えやすく、かつねじれ難く、操作性のよいキャップオープナーを提供することを目的とする。
本考案によれば、
【課題を解決するための手段】
【００１０】
上記目的を達成するためになされた本考案のキャップオープナーは、左右一対のハンドルの先端を弧状の絞り込み部により連結し、前記絞り込み部の内縁にてネジ蓋の外周を包み込んで前記両ハンドルを絞り込むことにより、前記ネジ蓋の外周をしっかりと掴み、前記各ハンドルを前記ネジ蓋が取付けられている容器に対して回動することにより、前記ネジ蓋の開放を行うようにしたものであって、さらに、以下の構成を備えていることを特徴とする。
（１）前記絞り込み部は、頂点部に外に向かってＵ字状に窪んだ凹所を備え、該凹所の左右の前記ハンドル側に位置する部分の上面に、内に向かって張り出す庇部を備えていること。
（２）前記左右のハンドルの一方から他方に向かって伸びる円弧状プレートが備えられると共に、該円弧状プレートを備えていない方のハンドルには前記円弧状プレートを受け入れ得る円弧状のガイド溝が形成されていること。
（３）前記ガイド溝にピンが凸設されると共に、前記円弧状プレートには、当該プレートの円弧に沿って伸び、前記ピンを挿入可能な円弧状の長孔が形成されていること。
【００１１】
本考案のキャップオープナーを用いるとき、ガイド溝のピンを円弧状プレートの長孔に挿入する。そして、庇部をキャップの頂面に当設させる様に絞り込み部をキャップにセットし、ハンドルを握る。すると、ピンは長孔内を移動し、円弧状プレートはピンとガイド溝とにガイドされた水平回動を行って絞り込み部の内縁でキャップを挟み付ける状態となる。この状態でハンドルを蓋開き方向に回動させれば、キャップはスムーズに開かれる。キャップを挟み付ける操作において、ガイド溝及びピンと、円弧状プレート及び長孔とにより、ハンドルがねじれることがない。また、庇部によるキャップ頂面への当設もねじれ防止に有効であり、Ｕ字状の凹所の存在により絞り込み部の可撓性が確保される結果、種々の径のキャップに対して無段階で適用可能である。
【００１２】
ここで、本考案のキャップオープナーは、さらに、以下の構成を備えることができる。
（４）前記絞り込み部及びハンドルは、肉厚がほぼ同一の側壁部と天井部とからなり、全体として下方開口の断面コ字形の箱枠状構造体とされていること。
（５）前記円弧状プレートは、一方のハンドルの天井部と連続する板状体にて形成され、前記ガイド溝は、他方のハンドルの天井部上面を前記円弧状プレートの板厚に対応させて窪ませた段付き形状とすることによって形成されていること。
【００１３】
かかる構成をも採用することにより、本考案のキャップオープナーは、箱枠状構造体としたことにより、射出成形による一体成形が可能となり、かつ、全体の強度、ねじれに対する強度も増大する。
【００１４】
また、このキャップオープナーは、さらに、以下の構成をも備えることができる。
（６）前記凹所は、前記絞り込み部を構成する外側の側壁部と内側の側壁部とが接する深さまで窪まされていること。
【００１５】
かかる構成をも採用することにより、撓み易くかつ強度の高い絞り込み部とすることができる。
【００１６】
さらに、このキャップオープナーは、以下の構成をも備えることができる。
（７）前記ピンは、先端に張り出し部を備え、前記長孔は、全体が前記張り出し部よりも狭い幅とされ、一部に前記張り出し部を挿通可能な拡大部を備えていること。
【００１７】
かかる構成を備えることにより、ピンを長孔に挿入した状態でハンドルを握る際にピンが長孔から抜け出すことがなく、ねじれ防止効果をより的確に発揮することができる。
【００１８】
加えて、これらのキャップオープナーは、さらに、以下の構成をも備えることができる。
（８）前記長孔の前記拡大部側の末端縁が前記ピンに当接する前にピン側のハンドルの内側側壁に当接するストッパ部材が前記円弧状プレートの下側に突接されていること。
【００１９】
かかる構成をも備えることにより、、ハンドルを握りしめたときに長孔の末端縁がピンに強く当たってしまい、当該ピンに損傷を与えてしまうということがない。
【００２０】
加えて、これらのキャップオープナーは、さらに、以下の構成をも備えることができる。
（９）前記庇部は、外形を形成する枠部と、該枠部の内側を埋めるメッシュ構造部とを備えていること。
【００２１】
かかる構成をも採用することにより、キャップの様子をメッシュ構造部からすかし見ることができ、ハンドルを操作するときの位置決めが容易になる。
【００２２】
また、これらのキャップオープナーは、さらに、以下の構成をも備えることができる。
（１０）前記メッシュ構造部は、前記枠部の内側を埋める様に、断面蒲鉾形の縦線部と横線部とを蒲鉾断面の底面同士を交差接合させて形成した多数の微小角孔で構成されていること。
【００２３】
かかる構造とすることにより、庇部の様な部分に薄肉のメッシュ構造部を射出成形で形成することができ、メッシュ孔も極めて微小なものとすることができる。
【考案の効果】
【００２４】
本考案によれば、径の異なるキャップにも適用でき、力を加えやすく、かつねじれ難く、操作性のよいキャップオープナーを提供することができる。
【図面の簡単な説明】
【００２５】
【図１】実施例のキャップオープナーの斜視図である。
【図２】実施例のキャップオープナーを示し、（Ａ）は背面図、（Ｂ）は左側面図、（Ｃ）は平面図、（Ｄ）は右側面図、（Ｅ）は正面図、（Ｆ）は底面図である。
【図３】実施例のキャップオープナーを示し、（Ａ）は平面図、（Ｂ）はａ−ａ断面図、（Ｃ）はｂ−ｂ断面図である。
【図４】実施例のキャップオープナーを示し、（Ａ）は平面図、（Ｂ）はｃ−ｃ断面図である。
【図５】実施例のキャップオープナーを示し、（Ａ）は平面図、（Ｂ）はｄ−ｄ断面図である。
【図６】実施例のキャップオープナーを示し、（Ａ）は平面図、（Ｂ）はｅ−ｅ断面図、（Ｃ）はｆ−ｆ断面図、（Ｄ）はｇ−ｇ断面図である。
【図７】実施例のキャップオープナーを示し、（Ａ）は平面図、（Ｂ）はメッシュ構造部の要部拡大図、（Ｃ）はｈ−ｈ断面図、（Ｄ）はｉ−ｉ断面図、（Ｅ）はハンドル上のメッシュ構造部の要部拡大図、（Ｆ）はｊ−ｊ断面図である。
【図８】実施例のキャップオープナーの操作状態を示す平面図である。
【図９】従来技術の説明図である。
【考案を実施するための形態】
【００２６】
以下、本考案を実施するための形態を実施例で説明する。
【実施例１】
【００２７】
実施例のキャップオープナー１は、図１，図２，図８に示す様に、左右一対のハンドル２，３の先端を弧状の絞り込み部１０により連結し、絞り込み部１０の内縁にてネジ蓋の外周を包み込んで両ハンドル２，３を絞り込むことにより、ネジ蓋の外周をしっかりと掴み、各ハンドル２，３をネジ蓋が取付けられている容器に対して回動することにより、ネジ蓋の開放を行うようにしたものであって、さらに、以下の構成を備えている。
【００２８】
（１）絞り込み部１０は、頂点部に外に向かってＵ字状に窪んだ凹所１１を備え、凹所１１の左右のハンドル側に位置する部分の上面に、内に向かって張り出す庇部２０，２０を備えている。
（２）左ハンドル２から右ハンドル３に向かって伸びる円弧状プレート３１が備えられると共に、右ハンドル３には円弧状プレート３１を受け入れ得る円弧状のガイド溝３２が形成されている。
（３）ガイド溝３２にピン３３が凸設されると共に、円弧状プレート３１には、当該プレートの円弧に沿って伸び、ピン３３を挿入可能な円弧状の長孔３４が形成されている。
【００２９】
実施例のキャップオープナー１は、さらに、以下の構成をも備えている。
（４）絞り込み部１０及びハンドル２，３は、肉厚がほぼ同一の側壁部と天井部とからなり、全体として下方開口の断面コ字形の箱枠状構造体とされている。
（５）円弧状プレート３１は、左ハンドル２の天井部と連続する板状体にて形成され、ガイド溝３２は、右ハンドル３の天井部上面を円弧状プレート３１の板厚に対応させて窪ませた段付き形状とすることによって形成されている。
【００３０】
実施例のキャップオープナー１は、さらに、以下の構成をも備えている。
（６）凹所１１は、絞り込み部１０を構成する外側の側壁部と内側の側壁部とが接する深さまで窪まされている。
【００３１】
実施例のキャップオープナー１は、さらに、以下の構成をも備えている。
（７）ピン３３は、先端に張り出し部３５を備え、長孔３４は、全体が張り出し部３５よりも狭い幅とされ、左ハンドル２に近い側の一部に張り出し部３５を挿通可能な拡大部３６を備えている。
【００３２】
実施例のキャップオープナー１は、さらに、以下の構成をも備えている。
（８）長孔３４の拡大部３６側の末端縁がピン３３に当接する前に右ハンドル３の内側側壁に当接するストッパ部材３７が円弧状プレート３１の下側に突接されている。
【００３３】
実施例のキャップオープナー１は、さらに、以下の構成をも備えている。
（９）庇部２０，２０は、外形を形成する枠部２１，２１と、枠部２１，２１の内側を埋めるメッシュ構造部２２，２２とを備えている。
【００３４】
実施例のキャップオープナー１は、さらに、以下の構成をも備えている。
（１０）メッシュ構造部２２，２２は、枠部２１，２１の内側を埋める様に、断面蒲鉾形の縦線部２３，２３と横線部２４，２４とを蒲鉾断面の底面同士を交差接合させて形成した多数の微小角孔で構成されている。
【００３５】
なお、実施例のキャップオープナー１は、右ハンドル３のガイド溝３２よりも先の部分に、多数のテーパー孔４１を穿った状態のメッシュ構造部４０も備えている。
【００３６】
実施例のキャップオープナー１を用いるとき、ガイド溝３２のピン３３を円弧状プレート３１の長孔３４の拡大部３６を介して挿入する。この際、ハンドル２，３を近づける様に握る操作をする（図８（Ａ）参照。）。この握る力を開放すると、ハンドル２，３は絞り込み部１０の弾力によって離れる方向に移動するが、ピン３３は張り出し部３５が長孔３４の縁に引っかかった状態となり、一体に連結された状態となる（図８（Ｂ）参照。）。このとき、ストッパ部材３７が備えられていることにより、ハンドルを握りしめたときに長孔３４の末端縁がピン３３に強く当たってしまい、当該ピン３３に損傷を与えてしまうということがない。
【００３７】
こうして準備した後、庇部２０，２０をキャップの頂面に当設させる様に絞り込み部１０をキャップに対してセットし、ハンドル２，３を握る。すると、ピン３３は長孔３４内を移動し、円弧状プレート３１はピン３３とガイド溝３２とにガイドされた水平回動を行って絞り込み部１０の内縁でキャップを挟み付ける状態となる。なお、絞り込み部の内縁には高さ方向に伸びる凸条が多数形成されていて、滑り止めとして機能する。こうしてキャップを絞り込み部１０の内縁で挟み付けた後、ハンドル２，３を握ったままで蓋開き方向に回動させれば、キャップはスムーズに開かれる。
【００３８】
キャップを挟み付ける操作において、ガイド溝３２及びピン３３と、円弧状プレート３１及び長孔３４とにより、ハンドルがねじれることがない。また、庇部２０，２０によるキャップ頂面への当設もねじれ防止に有効であり、Ｕ字状の凹所１１の存在により絞り込み部１０の可撓性が確保される結果、種々の径のキャップに対して無段階で適用可能である。
【００３９】
また、実施例のキャップオープナー１によれば、箱枠状構造体としたことにより、射出成形による一体成形が可能となり、かつ、全体の強度、ねじれに対する強度も増大する。また、射出成形による一体成形が容易なものとなる。
【００４０】
さらに、実施例のキャップオープナー１によれば、凹所１１を、絞り込み部１０を構成する外側の側壁部と内側の側壁部とが接する深さまで窪まされた構造としたことにより、撓み易くかつ強度の高い絞り込み部とすることができている。
【００４１】
加えて、実施例のキャップオープナー１によれば、ピン３３を長孔３２に挿入した状態でハンドル２，３を握る際にピン３３が長孔３２から抜け出すことがなく、ねじれ防止効果をより的確に発揮することができる。また、ハンドルを握りしめたときにストッパ部材３７が右ハンドル３の内側側壁に当接して長孔３４の末端縁がピン３３に強く当たるのを防止することで、ピン３３に損傷を与えてしまうということもない。
【００４２】
さらに、実施例のキャップオープナー１によれば、キャップの様子をメッシュ構造部２１，２１からすかし見ることができ、ハンドル２，３を操作するときの位置決めが容易である。
【００４３】
加えて、実施例のキャップオープナー１によれば、断面蒲鉾形の縦線部２３，２３と横線部２４，２４とを蒲鉾断面の底面同士を交差接合させて形成した多数の微小角孔でメッシュ構造部２２，２２を形成しているので、庇部２０の様な部分に薄肉のメッシュ構造部を射出成形で形成することができ、メッシュ孔も極めて微小なものとすることができる。このことは、テーパー孔４１で形成した右ハンドル３のメッシュ構造部４０の厚さと比べると容易に理解される。
【００４４】
以上説明した様に、実施例によれば、径の異なるキャップにも適用でき、力を加えやすく、かつねじれ難く、操作性のよいキャップオープナー１を提供することができる。
【００４５】
以上、考案を実施するための一実施例を説明したが、本考案は、これに限定されるものではなく、その要旨を逸脱しない範囲内における種々の変更が可能である。
【産業上の利用可能性】
【００４６】
本考案は、ペットボトル、ドリンク剤、瓶詰め等のキャップを僅かな力で開けるためのキャップオープナーに利用することができる。
【符号の説明】
【００４７】
１・・・キャップオープナー
２・・・左ハンドル
３・・・右ハンドル
１０・・・絞り込み部
１１・・・Ｕ字状に窪んだ凹所
２０・・・内に向かって張り出す庇部
２１・・・庇部外形を形成する枠部
２２・・・枠部の内側を埋めるメッシュ構造部
２３・・・断面蒲鉾形の縦線部
２４・・・断面蒲鉾形の横線部
３１・・・円弧状プレート
３２・・・円弧状のガイド溝
３３・・・ピン
３４・・・円弧状の長孔
３５・・・ピン先端の張り出し部
３６・・・張り出し部を挿通可能な拡大部
３７・・・ストッパ
４０・・・メッシュ構造部
４１・・・テーパー孔
【図１】
0003172732.tif 000003
【図２】
0003172732.tif 000004
【図３】
0003172732.tif 000005
【図４】
0003172732.tif 000006
【図５】
0003172732.tif 000007
【図６】
0003172732.tif 000008
【図７】
0003172732.tif 000009
【図８】
0003172732.tif 000010
【図９】
0003172732.tif 000011